(57)【要約】【課題】デジタル放送におけるデータ放送に関して、データ放送に基づく不揮発性メモリに記憶される視聴者データには、個人情報などのバックアップしたいデータと、番組独自で設定するポイント等のバックアップしてはいけないデータとが存在するが、それを識別する手段がないため、安全な視聴者データのバックアップが実現不可能であった。【解決手段】本発明は、データ放送に基づく不揮発性メモリに記憶される視聴者データに、コピーできるデータとコピーできないデータを識別する識別子を放送事業者が付加し、視聴者の個人情報などのコピーできるデータと、番組独自に設定するポイントなどのコピーできないデータを識別する手段をデジタル放送受信装置に備えることによって、番組独自に設定するポイントなどの不正コピーなどを引き起こすことなく安全に視聴者データをバックアップ可能とする。【選択図】図２
2005341008.tif 000002
【特許請求の範囲】
【請求項１】
デジタル放送受信機内に設けられ、受信したデータ放送に基づく視聴者データが記憶されるための、放送事業者が使用する放送事業者領域が予め設定される内部記憶装置と、前記内部記憶装置に放送事業者が使用するための視聴者データを記憶する放送事業者データ記憶手段と、視聴者データに付加されている、コピー可能かどうかの情報が記載されたコピー属性記述子を解釈する視聴者データコピー属性判定手段とを具備し、ユーザ登録情報などのコピー可能な視聴者データと、番組連動の視聴者ポイントなどコピー不可能な視聴者データを記憶する際に、コピー属性を関連づけて記憶することによって、記憶されている視聴者データがコピー可能かどうかを明確にすることを特徴としたデジタル放送受信装置。
【請求項２】
デジタル放送受信機内に設けられ、受信したデータ放送に基づく視聴者データが記憶されるための、放送事業者が使用する放送事業者領域が予め設定される内部記憶装置と、前記内部記憶装置に放送事業者が使用するための視聴者データを記憶する放送事業者データ記憶手段と、視聴者データに付加されている、コピー可能かどうかの情報が記載されたコピー属性記述子を解釈する視聴者データコピー属性判定手段とを具備し、ユーザ登録情報などのコピー可能な視聴者データと、番組連動の視聴者ポイントなどコピー不可能な視聴者データを記憶する際に、コピー属性によって、放送事業者領域内にあるコピー可能データ領域とコピー不可能データ領域に振り分けて記憶することにより、記憶されている視聴者データがコピー可能かどうかを明確にすることを特徴としたデジタル放送受信装置。
【請求項３】
外部記憶装置が着脱可能に装着される外部記憶装置装着手段と、前記内部記憶装置に記憶された視聴者データを前記外部記憶装置装着手段を介して外部記憶装置に記憶する視聴者データ外部記憶装置書き込み手段とを具備し、前記コピー属性判断手段においてコピー可能データのみを外部記憶装置書き込み手段を介して外部記憶装置に記憶することを特徴とする請求項１記載のデジタル放送受信装置。
【請求項４】
外部記憶装置が着脱可能に装着される外部記憶装置装着手段と、前記外部記憶装置に記憶されたコピー可能な視聴者データを、前記外部記憶装置装着手段を介して読み出す視聴者データ外部記憶装置読み込み手段とを具備し、前記外部記憶装置から読み出した視聴者データを内部記憶装置の放送事業者領域内に記憶することにより、前記視聴者データ外部記憶装置書き込み手段と組み合わせて、コピー可能な視聴者データのバックアップを可能にすることを特徴とする請求項３記載のデジタル放送受信装置。
【請求項５】
外部記憶装置が着脱可能に装着される外部記憶装置装着手段と、前記内部記憶装置に記憶された視聴者データを前記外部記憶装置装着手段を介して外部記憶装置に記憶する視聴者データ外部記憶装置書き込み手段とを具備し、前記コピー可能データ記憶領域に記憶された視聴者データを視聴者データ外部記憶装置書き込み手段を介して外部記憶装置に記憶することを特徴とする請求項２記載のデジタル放送受信装置。
【請求項６】
外部記憶装置が着脱可能に装着される外部記憶装置装着手段と、前記外部記憶装置に記憶されたコピー可能な視聴者データを前記外部記憶装置装着手段を介して読み出す視聴者データ外部記憶装置読み込み手段とを具備し、前記外部記憶装置から読み出した視聴者データを内部記憶装置の放送事業者領域内にあるコピー可能データ記憶領域に記憶することにより、前記視聴者データ外部記憶装置書き込み手段と組み合わせて、コピー可能な視聴者データのバックアップを可能にすることを特徴とする請求項２記載のデジタル放送受信装置。
【請求項７】
外部センターとネットワークやモデム等を介して通信する外部通信手段と、ＩＣカードなどを利用して特定のデジタル放送受信装置のみ外部センターと通信可能とするデジタル放送受信装置認証手段と、前記デジタル放送受信装置認証手段による視聴者データのアップロード、ダウンロードが可能な視聴者データセンターに、コピー不可能な視聴者データを内部記憶装置から移動転送する視聴者データアップロード手段とを具備し、前記コピー属性判定手段により、コピー不可能な視聴者データを、デジタル放送受信装置内から削除して、センターに記憶することを特徴とする請求項１記載のデジタル放送受信装置。
【請求項８】
外部センターとネットワークやモデム等を介して通信する外部通信手段と、ＩＣカードなどを利用して特定のデジタル放送受信装置のみ外部センターと通信可能とするデジタル放送受信装置認証手段と、前記デジタル放送受信装置認証手段による視聴者データのアップロード、ダウンロードが可能な視聴者データセンターから、保存されているコピー不可能な視聴者データを内部記憶装置に移動転送する視聴者データダウンロード手段とを具備し、前記視聴者データアップロード手段と組み合わせることにより、コピー不可能な視聴者データを他のデジタル放送受信装置へ引き継ぐことを可能にする請求項７記載のデジタル放送受信装置。
【請求項９】
外部センターとネットワークやモデム等を介して通信する外部通信手段と、ＩＣカードなどを利用して特定のデジタル放送受信装置のみ外部センターと通信可能とするデジタル放送受信装置認証手段と、前記デジタル放送受信装置認証手段による視聴者データのアップロード、ダウンロードが可能な視聴者データセンターに、コピー不可能な視聴者データを内部記憶装置から移動転送する視聴者データアップロード手段とを具備し、前記コピー不可能データ領域内の視聴者データを、デジタル放送受信装置内から削除して、センターに記憶することを特徴とする請求項２記載のデジタル放送受信装置。
【請求項１０】
外部センターとネットワークやモデム等を介して通信する外部通信手段と、ＩＣカードなどを利用して特定のデジタル放送受信装置のみ外部センターと通信可能とするデジタル放送受信装置認証手段と、前記デジタル放送受信装置認証手段による視聴者データのアップロード、ダウンロードが可能な視聴者データセンターから、保存されているコピー不可能な視聴者データを前記コピー不可能データ領域に移動転送する視聴者データダウンロード手段とを具備し、前記視聴者データアップロード手段と組み合わせることにより、コピー不可能な視聴者データを他のデジタル放送受信装置へ引き継ぐことを可能にする請求項９記載のデジタル放送受信装置。
【発明の詳細な説明】
【技術分野】
【０００１】
本発明は、デジタル放送におけるデータ放送に関し、特に視聴者データの記憶方法に関するものである。
【背景技術】
【０００２】
近年、テレビ放送のデジタル化が推進され、映像、音声がデジタル化され圧縮されて伝送されるデジタル放送が実用化されている。さらに、映像、音声に加えて放送番組に関連したデータが伝送され、映像、音声、データの組み合わせで放送番組が構成されており、デジタルテレビは見るだけのテレビから視聴者が参加するテレビへとインタラクティブ性が増している。
【０００３】
データコンテンツはデジタル放送受信装置に内蔵されるデータ放送起動ソフトウェアにて起動されて、デジタル放送受信装置の画面に描画され、視聴者はデジタル放送受信装置のリモコンを操作することによって番組に参加することができる。
【０００４】
データコンテンツでは、視聴者のリモコン操作に対する反応を決めたり、視聴者の個人情報の登録、番組独自で設定するポイントの計算などを行うことができ、デジタル放送受信装置に備えられた不揮発性メモリ上のデータ領域を、記憶領域として利用することも可能である。
【０００５】
視聴者データを不揮発性メモリ上に記憶することにより、デジタル放送受信装置の電源を入れなおしても、個人情報の継続活用や、番組独自のポイント加算システムなどの機能を実現することができる。
【０００６】
しかし、デジタル放送受信装置の故障や買い替えなどで受信機を交換した場合は、保存されている視聴者の個人情報は再度入力する必要があった。また、番組独自のポイントなどはリセットされてしまっていた。
【０００７】
従来、視聴者データの外部記憶装置へのバックアップを可能とする装置が公知である（例えば、特許文献１参照）。
【特許文献１】特開２００２−３４４９３９号公報
【発明の開示】
【発明が解決しようとする課題】
【０００８】
しかし、視聴者データには、個人情報などのバックアップしたいデータと、番組独自で設定するポイント等のバックアップしてはいけないデータとが存在し、上記従来の装置では、このデータを識別する手段がないため、番組独自で設定するポイントをバックアップして再利用するなどの不正行為が容易に実現可能となっていた。
【０００９】
つまり、デジタル放送受信装置の故障や買い替えなどで受信機を交換した場合は、保存されている視聴者の個人情報は再度入力する必要があった。また、番組独自のポイントなどはリセットされてしまっていた。また、これらを回避するために視聴者データのバックアップをしても、ポイントの不正コピーなどを引き起こす可能性があった。
【課題を解決するための手段】
【００１０】
本発明は、データ放送に基づく不揮発性メモリに記憶される視聴者データに、コピーできるデータとコピーできないデータを識別する識別子を放送事業者が付加し、視聴者の個人情報などのコピーできるデータと、番組独自に設定するポイントなどのコピーできないデータを識別する手段をデジタル放送受信装置に備えることによって、番組独自に設定するポイントなどの不正コピーなどを引き起こすことなく安全に視聴者データをバックアップ可能とする。
【発明の効果】
【００１１】
本発明のデジタル放送受信装置は、データ放送に基づく視聴者データの視聴者の個人情報などを家庭内の複数のデジタル放送受信装置の間で共有することを可能にする。また、故障、買い替え時にデータ放送に基づく視聴者データの番組独自で設定するポイントなどを不正コピーを引き起こすことなく、安全に引き継ぐことを可能にする。
【発明を実施するための最良の形態】
【００１２】
（実施の形態１）
図１に、本発明の実施の形態１に係るデジタル放送受信装置を示す。デジタル放送受信装置１０６は、チューナ制御部１０７と、ＭＰＥＧデコーダ部１０８と、映像デコード部１０９と、音声デコード部１１０と、ＳＩ／ＰＳＩ取得部１１１と、データコンテンツ取得部１１２と、リモコン受光部１１３と、選局部１１４と、システム設定部１１５と、データ起動部１１６と、データコンテンツ実行部１１７と、ＯＳＤ表示制御部１１８と、受信機認証部１１９と、外部センター通信部１２０と、内部記憶装置１２１と、外部記憶装置制御部１２２を具備している。なお、ここではデジタル放送受信装置１０６として受像機（表示装置）を内蔵しないＳＴＢ（セットトップボックス）を例にとり説明を行うが、受像機を内蔵する形態でもこの発明が表現されることは改めて説明するまでもない。
【００１３】
デジタル放送受信装置１０６は、データ放送コンテンツをデータコンテンツ取得部１１２で取得し、データ起動部１１６によってデータコンテンツを起動し、データコンテンツ実行部１１７によって実行する。放送事業者は、放送事業者領域が予め設定される内部記憶装置１２１を使うことにより、視聴者データを不揮発性メモリに保存するようなデータコンテンツを作成できる。さらに、放送事業者は、保存する視聴者データに、コピー可能かどうかの情報を記載したコピー属性記述子を付加したデータコンテンツを作成できる。
【００１４】
コピー属性記述子とは、例えばデータコンテンツに、以下のような書き込みするファイル名と書き込みするデータを指定する書き込み関数があるとすると、
Ｎｕｍｂｅｒ  ｗｒｉｔｅＰｅｒｓｉｓｔｅｎｔＮｕｍｂｅｒ（
ｉｎｐｕｔ  Ｓｔｒｉｎｇ  ｆｉｌｅｎａｍｅ，
ｉｎｐｕｔ  Ｎｕｍｂｅｒ  ｄａｔａ
）
”ｎｖｒａｍ：／／〜／０”というｆｉｌｅｎａｍｅ指定で、通常の放送事業者領域への視聴者データの書き込みを行い、”ｎｖｒａｍ：／／〜／ｃ／０”というｆｉｌｅｎａｍｅ指定でコピー可能な視聴者データの書き込み指示であると解釈させることができる。また、スキームで区別して”ｎｖｒａｍ：／／〜／０”というｆｉｌｅｎａｍｅ指定で、通常の放送事業者領域への視聴者データの書き込みを行い、”ｎｖｒａｍｃ：／／〜／０”というｆｉｌｅｎａｍｅ指定でコピー可能な視聴者データの書き込みを指示してもよい。他には、上記関数の引数にコピー属性を追加して、以下のような関数を使用することもできる。
【００１５】
Ｎｕｍｂｅｒ  ｗｒｉｔｅＰｅｒｓｉｓｔｅｎｔＮｕｍｂｅｒ（
ｉｎｐｕｔ  Ｓｔｒｉｎｇ  ｆｉｌｅｎａｍｅ，
ｉｎｐｕｔ  Ｎｕｍｂｅｒ  ｄａｔａ，
ｉｎｐｕｔ  Ｆｌａｇ  ｃｏｐｙ＿ｆｌａｇ
）
本発明の実施の形態１に係るデジタル放送受信装置は、上述のコピー属性記述子を判定する視聴者データコピー属性判定手段２０２を具備している。
【００１６】
図２は、本発明の実施の形態１のデジタル放送受信装置の動作を説明する概略図である。データコンテンツは、放送事業者領域アクセス手段２０１にて内部記憶装置１２１の放送事業者領域２０４にアクセスし、視聴者データコピー属性判定手段２０２をもって、視聴者データがコピー可能かどうかを区別し、放送事業者データ記憶手段２０３をもって、放送事業者領域２０４に書き込む。データブロックと、それに対応させたコピー属性を同時に書き込むことによって、放送事業者領域２０４内の視聴者データが、コピー可能であるかどうかを判別することができる。
【００１７】
また、デジタル放送受信装置は、図３に示す動作を行ってもよい。図３は、本発明の実施の形態１のデジタル放送受信装置の別の動作を説明する概略図である。データコンテンツは、放送事業者領域アクセス手段３０１にて内部記憶装置１２１の放送事業者領域３０４にアクセスし、視聴者データコピー属性判定手段３０２をもって、視聴者データがコピー可能かどうかを区別し、放送事業者データ記憶手段３０３をもって、放送事業者領域３０４に書き込む。放送事業者領域３０４をコピー可能データ領域とコピー不可能データ領域の２つに分け、視聴者データコピー属性判定手段３０２の結果により、記憶する領域を振り分けることによって、放送事業者領域３０４内の視聴者データが、コピー可能であるかどうかを判別することができる。
【００１８】
上述のようにデータ放送に基づく視聴者データがコピー可能かどうかを判別することによって、視聴者の個人情報などコピー可能な視聴者データのバックアップを可能とし、家庭内の複数のデジタル放送受信装置の間で共有することができる。
【００１９】
次に、コピー可能な視聴者データのバックアップに関して、更に図４、図５を用いて詳述する。
【００２０】
図４は、本発明の実施の形態１のデジタル放送受信装置の動作を説明するフローチャートである。ユーザーインターフェースなどにより、コピー可能な視聴者データのバックアップ処理開始を促し、開始したら、まずステップ４０１により外部記憶装置１０５の挿入検出を行う。挿入されていなければ終了する。挿入されていればステップ４０２により、判別したコピー可能な視聴者データを内部記憶装置１２１から外部記憶装置制御部１２２を介して外部記憶装置１０５へコピーする。このようにして、コピー可能な視聴者データのバックアップが実現できる。
【００２１】
次に、外部記憶装置１０５へバックアップしたデータを、逆に、外部記憶装置１２２を介してデジタル放送受信装置１０６の内部記憶装置１２１にコピーする動作を説明する。図５は、本発明の実施の形態１のデジタル放送受信装置の動作を説明するフローチャートである。ユーザーインターフェースなどにより、コピー可能な視聴者データの書き戻し処理開始を促し、開始したら、ステップ５０１により外部記憶装置１０５の挿入検出を行う。挿入されていなければ終了する。挿入されていればステップ５０２により外部記憶装置１０５内に視聴者データが存在するかをチェックし、存在すればステップ５０３によって内部記憶装置１２１の適切な放送事業者領域へコピーされる。存在しなければ終了する。このようにして、家庭内の他のデジタル放送受信装置に視聴者データのバックアップをコピーすることができる。
【００２２】
（実施の形態２）
図１、図２を用いて説明したように、実施の形態１では、内部記憶装置１２１の放送事業者領域に記憶された視聴者データがコピー可能かどうかを判別することが可能である。ここで、データ放送に基づく番組連動の視聴者ポイントなど、バックアップをしてはいけない視聴者データを区別して、故障、買い替えなどの場合に安全に他の受信機へ引継ぐ手段について図６、図７を用いて説明する。
【００２３】
図６は、本発明の実施の形態２のデジタル放送受信装置の動作を説明するフローチャートである。ユーザーインターフェースなどにより、コピー不可能な視聴者データを外部センターへアップロードさせる処理の開始を促し、開始したら、ステップ６０１によって外部センターとの接続を外部センター通信部１２０において確立する。接続が確立できなかったら終了する。接続が確立できたらステップ６０２によって受信機認証登録をする。これは、アップロードした視聴者データをダウンロードする時の認証のための手段であり、受信機認証部１１９において、例えばＩＣカードなどを用いて実現する。認証登録が終わったら、次にステップ６０３において、コピー不可能な視聴者データをアップロードする。アップロードすると同時に内部記憶装置１２１の中の視聴者データは当然削除する。
【００２４】
図７は、本発明の実施の形態２のデジタル放送受信装置の動作を説明するフローチャートである。ユーザーインターフェースなどにより、コピー不可能な視聴者データを外部センターからダウンロードする処理の開始を促し、開始したら、ステップ７０１によって外部センターとの接続を外部センター通信部１２０において確立する。接続が確立できなかったら終了する。接続が確立できたらステップ７０２によって、受信機認証部１１９において、認証と一致する視聴者データが外部センターに存在するかチェックする。なかったら終了し、あったらその視聴者データを内部記憶装置１２１の適切なアドレスにダウンロードする。ダウンロードすると同時に外部センターにある当該視聴者データは削除される。
【００２５】
以上のように、本発明の実施の形態２のデジタル放送受信装置によれば、故障、買い替え時にデータ放送に基づく視聴者データの番組独自で設定するポイントなどを不正コピーを引き起こすことなく、安全に引き継ぐことができる。
【産業上の利用可能性】
【００２６】
データ放送に基づく視聴者データに付加されたコピー属性記述子を判別する機能を備え、不揮発性メモリに保存される視聴者データがコピー可能かどうかを区別することにより、視聴者情報などのバックアップに際して、番組連動のポイントなどを一緒に不正コピーしてしまう課題が解決される効果を有し、デジタル放送におけるデータ放送に関し、特に視聴者データの記憶方法に関して有用である。
【図面の簡単な説明】
【００２７】
【図１】本発明の実施の形態１及び２に係るデジタル放送受信装置の構成を示すブロック図
【図２】本発明の実施の形態１に係るデジタル放送受信装置の動作を説明する概略図
【図３】本発明の実施の形態１に係るデジタル放送受信装置の別の動作を説明する概略図
【図４】本発明の実施の形態１に係るデジタル放送受信装置の動作を説明するフローチャート
【図５】本発明の実施の形態１に係るデジタル放送受信装置の動作を説明するフローチャート
【図６】本発明の実施の形態２に係るデジタル放送受信装置の動作を説明するフローチャート
【図７】本発明の実施の形態２に係るデジタル放送受信装置の動作を説明するフローチャート
【符号の説明】
【００２８】
１０６    デジタル放送受信装置
１０７    チューナ制御部
１０８    ＭＰＥＧデコーダ部
１０９    映像デコード部
１１０    音声デコード部
１１１    ＳＩ／ＰＳＩ取得部
１１２    データコンテンツ取得部
１１３    リモコン受光部
１１４    選局部
１１５    システム設定部
１１６    データ起動部
１１７    データコンテンツ実行部
１１８    ＯＳＤ表示制御部
１１９    受信機認証部
１２０    外部センター通信部
１２１    内部記憶装置
１２２    外部記憶装置制御部
【図１】
2005341008.tif 000003
【図２】
2005341008.tif 000004
【図３】
2005341008.tif 000005
【図４】
2005341008.tif 000006
【図５】
2005341008.tif 000007
【図６】
2005341008.tif 000008
【図７】
2005341008.tif 000009